(57)【要約】【課題】棚を棚受部に沿って前後させる操作を円滑に行うことができる冷蔵庫を提供すること。【解決手段】被冷却物が収容される収容室内の左右の側壁１３に突設されるとともに奥行き方向に伸びて形成された棚受部２の一部に窪み部２４が設けられ，前記棚４が前記棚受部２に装着された状態において前記窪み部２４に嵌入して前記棚４の奥行き方向の動きを規制し，前記棚４が着脱される際に前記棚受部２の上面２１を摺動する嵌入リブ４２ｅが棚４の左右両端部に下方に向けて突設され，前記棚４から前記棚受部２の下方へ回り込むよう形成されて前記棚４の上方への移動範囲を規制する弾性体であるアーム部５０が前記棚４の左右両端部それぞれの一部に設けられ，前記アーム部５０の一部に，前記棚４の左右方向の移動範囲を規制するアーム突起部５２が，前記棚受部２に対向して突設されてなる。【選択図】図４
2010032169.tif 000002
【特許請求の範囲】
【請求項１】
被冷却物が収容される収容室内の左右の側壁に該収容室内側に向けて突設されるとともに奥行き方向に伸びて形成された棚受部と，該棚受部により左右両端部の下面が支持される着脱可能な棚と，を備えた冷蔵庫であって，
左右の前記棚受部それぞれの一部に設けられた窪み部と，
前記棚の左右両端部それぞれの一部に下方に向けて突設され，前記棚が前記棚受部に装着された状態において前記棚受部における前記窪み部に嵌入して前記棚の奥行き方向の動きを規制し，前記棚が着脱される際に前記棚受部の上面を摺動する第１突起部と，
前記棚の左右両端部それぞれの一部に設けられ，前記棚から前記棚受部の下方へ回り込むよう形成されて前記棚の上方への移動範囲を規制するアーム部と，
前記アーム部の一部に前記棚受部に対向して突設され，前記棚の左右方向の移動範囲を規制する第２突起部と，
を具備してなることを特徴とする冷蔵庫。
【請求項２】
前記アーム部が弾性変形する部分である請求項１に記載の冷蔵庫。
【請求項３】
前記棚受部の下面が前記収容室の内側下方に向く傾斜面であり，
前記第２突起部が，前記アーム部における前記棚受部の下面に対向する部分に形成された突起部分である請求項２に記載の冷蔵庫。
【請求項４】
前記棚が，前記収容室内で手前側及び奥側に並べて配置された状態で前記棚受部により支持される前棚及び後棚のうちの前記前棚である請求項１〜３のいずれかに記載の冷蔵庫。
【請求項５】
前記前棚及び前記後棚がそれぞれ手前側及び奥側に並べられて前記棚受部に支持された状態における，前記前棚の左右両端部それぞれの前記棚受部から手前側へはみ出す部分に下方に向けて突設され，前記後棚が支持されていない前記棚受部の奥側の位置に前記前棚が着脱される際に前記第１突起部とともに前記棚受部の上面を摺動する第３突起部と，
左右の前記棚受部それぞれにおける奥側の端部に上方に向けて突設され，前記棚受部に沿って奥側へ押し込まれた前記前棚の奥側端部の下面を，前記第３突起部が前記棚受部の上面に当接して前記第１突起部が前記棚受部の上面から離間する状態で支持する第４突起部と，
を具備してなる請求項４に記載の冷蔵庫。
【発明の詳細な説明】
【技術分野】
【０００１】
本発明は，冷蔵庫に関し，特に，被冷却物を収容する収容室内に設けられる棚の保持機構に特徴を有する冷蔵庫に関するものである。
【背景技術】
【０００２】
一般に，冷蔵庫は，その内部に被冷却物（食品や薬品など）を収容する収容室が形成されている。その収容室は，前面以外が隔壁で囲まれ，前面側に当該冷蔵庫の外装を形成するドアが開閉可能に設けられている。
また，冷蔵庫は，その収容室内を上下方向に仕切る複数の棚を備えている。この棚は，収容室内の左右の側壁に設けられた棚受部により，左右両端部で支持され，着脱可能に構成されている。通常，棚受部は，上下方向に複数段設けられ，複数の棚は，それぞれの支持位置（支持高さ）を変更可能に構成されている。これにより，利用者は，被冷却物の高さに応じて，棚の上下方向のレイアウトを変更することができる。
【０００３】
また，特許文献１には，収容室内で手前側及び奥側に並べて配置された状態で前記棚受部により支持される前棚及び後棚が設けられ，その前棚を摺動させて後棚に重ねることが可能な冷蔵庫について示されている。
これにより，被冷却物の大きさや数に応じて，よりフレキシブルに棚のレイアウトを変更できる結果，収容室の収容効率を高めることができる。
また，特許文献１に示される前記前棚は，その左右両端部の下側に設けられた係合部が，前記棚受部（棚受けレール）に設けられた被係合部に係合する。これにより前記前棚の位置ずれが防止される。
【０００４】
ところで，冷蔵庫において，棚受部に支持された棚が，利用者によって誤って押し上げられた場合に，その棚が大きく傾いて棚の上の載置物（被冷却物）が転倒する不都合は回避したい。そのため，冷蔵庫は，棚受部に載置（支持）された棚の上方への動きを規制する構造を有することが望ましい。また，棚にガラス板が用いられている場合，重い棚を持ち上げて操作することは難しい。そのようなことから，一般に，棚の着脱や装着位置（奥行き方向における棚受部への支持位置）の変更の際には，棚を棚受部に沿って前後させる（引き出す又は押し込む）操作が行われる。その際，棚の左右両端部は，棚受部に対して摺動する。
また，冷蔵庫における収容室内の寸法は，製造上の寸法誤差に加え，収容室の内箱の温度変化による膨張・収縮によってもばらつきがある。特に，ドアの開閉による外気の流入や，発泡断熱材及び外装を形成する外壁を介した熱伝達の影響により，収容室の内箱における左右の側壁の膨張・収縮が生じやすく，収容室内の横幅の寸法が変動しやすい。そのため，従来の冷蔵庫における収容室の棚は，その左右両端部と左右の側壁との間に十分な隙間（あそび）が生じるように寸法設定がなされている。
【特許文献１】特開平１０−３３９５６８号公報
【発明の開示】
【発明が解決しようとする課題】
【０００５】
しかしながら，従来の冷蔵庫においては，棚を棚受部に沿って前後させる操作を円滑に行うことが難しいという問題点があった。
例えば，棚の左右両端部における下面（被支持面）が，左右の棚受部の上面（支持面）を摺動する場合，左側と右側とで摺動面の摩擦抵抗に大きな差が生じやすい。その摩擦抵抗の左右の差は，前後に操作される棚の蛇行を招いて円滑な棚操作を阻害する。
また，棚受部に支持された棚全体が左右いずれかに偏った場合，前後に操作される棚の一方の側面が収容室の側面に接触し，棚の蛇行や詰まりを招いて円滑な棚操作を阻害する。
従って，本発明は上記事情に鑑みてなされたものであり，その目的とするところは，棚を棚受部に沿って前後させる操作を円滑に行うことができる冷蔵庫を提供することにある。
【課題を解決するための手段】
【０００６】
上記目的を達成するために本発明に係る冷蔵庫は，次の（１）〜（６）に示される各構成要素を備えている。
（１）被冷却物（食品等）が収容される収容室内の左右の側壁に該収容室内側に向けて突設されるとともに奥行き方向に伸びて形成された棚受部。
（２）前記棚受部により左右両端部の下面が支持される着脱可能な棚。
（３）左右の前記棚受部それぞれの一部に設けられた窪み部。
（４）前記棚の左右両端部それぞれの一部に下方に向けて突設され，前記棚が前記棚受部に装着された状態において前記棚受部における前記窪み部に嵌入して前記棚の奥行き方向の動きを規制し，前記棚が着脱される際に前記棚受部の上面を摺動する第１突起部。
（５）前記棚の左右両端部それぞれの一部に設けられ，前記棚から前記棚受部の下方へ回り込むよう形成されて前記棚の上方への移動範囲を規制するアーム部。
（６）前記アーム部の一部に前記棚受部に対向して突設され，前記棚の左右方向の移動範囲を規制する第２突起部。
【０００７】
本発明に係る冷蔵庫においては，前記棚の着脱操作（前記棚受部に沿って前後させる操作）が行われる際に，前記棚と前記棚受部との間の摺動による摩擦抵抗が，左右両側の前記第１突起部に集中する。そのため，左側と右側とで摺動部の摩擦抵抗の大きな差が生じにくく，前記棚の蛇行が生じにくい。また，前記第１突起部は，使用中の前記棚が手前側へ脱落することを防止する（前記棚の奥行き方向の動きを規制する）機構と兼用されるものである。そのため，シンプルな構造により複数の機能を実現できる。
また，前記アーム部により，前記棚が前記棚受部から浮き上がることが防止され，使用中の前記棚が大きく傾いて棚の上の載置物（被冷却物）が転倒する不都合を回避できる。
また，前記第２突起部が，前記棚の左右方向の動きを規制するため，前記棚の蛇行が防がれる。また，前記棚が前後に操作される際に，左右の前記第２突起部の一方の頂点が前記棚受部に接触しても，その接触による摩擦抵抗は，前記棚の側面と前記収容室の側面とが面接触する場合のように大きくはないため，前記棚の蛇行や詰まりが生じにくい。
また，前記アーム部が弾性変形する部分（弾性体）であることが望ましい。これにより，前記収容室の側壁の膨張・収縮に応じて，前記棚受部の位置が左右方向や上下方向に変位した場合でも，前記アーム部や前記第２突起部が前記棚受部に詰まって前記棚が動かなくなることを防止できる。
【０００８】
また，前記棚受部及び前記第２突起部が，それぞれ次の（７）及び（８）に示される構成を有していればなお好適である。
（７）前記棚受部の下面が前記収容室の内側下方に向く傾斜面である。
（８）前記第２突起部が，前記アーム部における前記棚受部の下面に対向する部分に形成された突起部分である。
これにより，前記第２突起部が形成された前記アーム部は，前記棚の上方向への動きと，左右方向への動きの両方を規制するものとなる。即ち，前記第２突起部と前記棚受部の下面との間に隙間がある状態から，前記棚が上方向へ前記隙間の長さ以上浮き上がろうとした場合や，前記棚の位置が左右方向に前記隙間の長さ以上ずれようとした場合に，前記第２突起部が，前記棚受部の下面（傾斜面）に当接して前記棚の上方向及び左右方向への動きの範囲を規制する。
【０００９】
また，前記棚が，前記収容室内で手前側及び奥側に並べて配置された状態で前記棚受部により支持される前棚及び後棚のうちの前記前棚であることが考えられる。一般に，前記前棚は，前記棚受部から手前側に脱落しやすいため，前記第１突起部及び前記窪み部による脱落防止機構が特に有効に機能する。
また，極力少数の前記前棚及び前記後棚を用いて，前記収容室内のレイアウトをフレキシブルに変更できるようにするためには，前記前棚を通常の前記後棚の位置（前記棚受部の奥側の位置）に配置して使用できることが望ましい。
そこで，本発明における前記棚が前記前棚である場合，本発明に係る冷蔵庫が，さらに次の（９）及び（１０）に示される構成要素を備えることが考えられる。
（９）前記前棚及び前記後棚がそれぞれ手前側及び奥側に並べられて前記棚受部に支持された状態における，前記前棚の左右両端部それぞれの前記棚受部から手前側へはみ出す部分に下方に向けて突設され，前記後棚が支持されていない前記棚受部の奥側の位置に前記前棚が着脱される際に前記第１突起部とともに前記棚受部の上面を摺動する第３突起部。
（１０）左右の前記棚受部それぞれにおける奥側の端部に上方に向けて突設され，前記棚受部に沿って奥側へ押し込まれた前記前棚の奥側端部の下面を，前記第３突起部が前記棚受部の上面に当接して前記第１突起部が前記棚受部の上面から離間する状態で支持する第４突起部。
これにより，前記棚受部の奥側にさらに前記窪み部を設けることなく，前記第１突起部が設けられた前記前棚を前記棚受部の奥側の位置で使用することができる。また，前記前棚が前記棚受部の奥側へ移動される間に，手前側の前記第４突起部の頂点と奥側の前記第１突起部の頂点とが前記棚受部の上面で支持されるので，前記前棚をより安定した状態で移動（前記棚受部上で摺動）させることができる。
【発明の効果】
【００１０】
本発明によれば，冷蔵庫において，収容室内の棚を棚受部に沿って前後させる操作を円滑に行うことができる。
【発明を実施するための最良の形態】
【００１１】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る冷蔵庫Ａの概略側断面図，図２は冷蔵庫Ａにおける棚支持機構の概略側面図，図３は冷蔵庫Ａにおける前棚の底面図，背面図及び断面図，図４は冷蔵庫Ａにおける第１実施例に係る棚支持機構Ｘ１の正面方向から見た断面図（棚装着状態），図５は棚支持機構Ｘ１の側面図（棚装着状態），図６は棚支持機構Ｘ１の正面方向から見た断面図（棚着脱途中状態），図７は冷蔵庫Ａにおける第２実施例に係る棚支持機構Ｘ２の正面方向から見た断面図（棚着脱途中状態），図８は冷蔵庫Ａにおける第３実施例に係る棚支持機構Ｘ３の正面方向から見た断面図（棚着脱途中状態）である。
【００１２】
まず，図１に示される側断面図を参照しつつ，本発明の実施形態に係る冷蔵庫Ａ全体の概略構成について説明する。なお，図１において，図に向かって左側が冷蔵庫Ａの正面方向（手前側）であり，右側が冷蔵庫Ａの背面方向（奥側）である。
図１に示されるように，本発明の実施形態に係る冷蔵庫Ａは，その内部に，食品（被冷却物の一例）が収容される収容室１０が形成されている。その収容室１０は，前面以外が隔壁で囲まれ，前面側に当該冷蔵庫Ａの外装を形成するドア１２が開閉可能に設けられている。
また，冷蔵庫Ａは，前記収容室１０内を上下方向に仕切る複数の棚３，４を備えている。この棚３，４は，前記収容室１０内の左右の側壁に突設された棚受部２により，左右両端部の下面が支持される。複数の前記棚３，４は，前記棚受部２上に載置されるか否かによって着脱可能に構成されている。
前記棚受部２は，前記収容室１０内の左右の側壁に，前記収容室１０の内側に向けて突設され，奥行き方向に伸びて形成されている。
【００１３】
また，前記棚３，４は，それぞれ手前側と奥側とに並べて配置される前棚４及び後棚３の２種類からなるものである。以下，前記前棚４及び前記後棚３が，それぞれ手前側及び奥側に並べられて前記棚受部２に支持された状態のことを棚並設状態という。
また，前記棚受部２は，上下方向に複数段設けられ，複数の前記棚３，４をいずれの段の前記棚受部２に載置させるかによって仕切りの高さを変更可能に構成されている。これにより，利用者は，食品の高さに応じて，前記棚３，４の上下方向のレイアウトを変更することができる。
図１に示される例は，最下段の前記棚受部２の奥側に前記後棚３のみが装着され，下から２段目の前記棚受部２の奥側に，通常は手前側に装着される前記前棚４が装着されている例である。これにより，前記収容室１０の手前側に背の高い物を収容することが可能である。また，前記収容室１０の奥側には背の低い物を上下の棚に分けて効率的に収容することが可能である。
このように，冷蔵庫Ａは，前後（手前側と奥側）に並べて配置される着脱可能な２つの分離した棚（前棚４と後棚３）を採用しているため，フレキシブルに棚のレイアウトを変更できる。
冷蔵庫Ａは，２つの前記棚３，４，特に前記前棚４の支持機構（以下，棚支持機構という）に特徴を有している。
【００１４】
次に，図２及び図３を参照しつつ，前記棚支持機構について説明する。
図２に示されるように，前記棚受部２は，被冷却物（食品等）が収容される前記収容室１０内の左右の側壁に，その収容室１０内側に向けて突設され，また，奥行き方向に伸びてレール状に形成されている。
左右の前記棚受部２それぞれには，その一部に窪み部２４が形成されている。図２に示される前記窪み部２４は，前記棚受部２における，手前側半分の範囲（通常は前記前棚４が載置される範囲）のほぼ中央の位置（奥行き方向における手前側から約四分の一の位置）に設けられている。
【００１５】
また，前記前棚４及び前記後棚３は，前述したように，前記棚受部２により左右両端部の下面が支持される着脱可能な棚である。
図３に示されるように，前記前棚４は，被冷却物が載置されるガラス板４１と，そのガラス板４１の手前側縁部，奥側縁部及び左右両側の縁部それぞれに装着された手前枠部４２ａ，奥枠部４２ｂ及び横枠部４２ｃとを備えている。前記手前枠部４２ａ，前記奥枠部４２ｂ及び前記横枠部４２ｃは，例えば樹脂製である。
前記ガラス板４１は，前記横枠部４２ｃに設けられた溝４２ｄに嵌め込まれることによって前記横枠部４２ｃに固定されている。
【００１６】
また，前記前棚４の左右両端部（即ち，前記横枠部４２ｃ）それぞれの１箇所（合計２箇所）には，奥行き方向に数十ミリメートル程度の幅をもって下方側へ伸びるアーム部５０が設けられている。同様に，前記後棚４の左右両端部それぞれの一部にも，奥行き方向に数十ミリメートル程度の幅をもって下方側へ伸びるアーム部６０が設けられている。
また，図３（ｂ）に示されるように，前記前棚４の左右両端部（即ち，前記横枠部４２ｃ）それぞれの２箇所（前記アーム部５０が設けられている位置，合計４箇所）には，下方に向けて突設された突起部であるリブ４２ｅが設けられている（前記第１突起部の一例）。後述するように，このリブ４２ｅは，前記前棚４が前記棚受部２に装着された状態において，前記棚受部２における前記窪み部２４に嵌入し，これにより前記前棚４の奥行き方向の動きを規制する。また，前記リブ４２ｅは，前記前棚４が着脱される際には，前記棚受部２の上面を摺動する。以下，前記リブ４２ｅのことを嵌入リブ４２ｅと称する。
【００１７】
また，図２に示されるように，前記棚並設状態における前記前棚４の左右両端部（即ち，前記横枠部４２ｃ）それぞれの前記棚受部２から手前側へはみ出す部分には，下方に向けて突起部４３が突設されている。以下，この突起部４３のことを，前端突起部４３と称する（前記第３突起部の一例）。前記前端突起部４３の先端部は，概ね半円球状，又は奥行き方向を半径方向とする半円盤状に形成されている。
前記前端突起部４３は，前記後棚３が支持されていない前記棚受部２の奥側の位置に前記前棚４が着脱される際に，前記嵌入リブ４２ｅとともに前記棚受部２の上面を摺動する。
【００１８】
また，図２に示されるように，左右の前記棚受部２それぞれにおける奥側の端部には，上方に向けて突起部２５が突設されている。この突起部２５は，図２（ｂ）に示されるように，前記棚受部２に沿って奥側へ押し込まれた前記前棚４の奥側端部の下面（即ち，前記横枠部４２ｃの奥側端部の下面）を支持する。そのとき，前記突起部２５は，前記前端突起部４３が前記棚受部２の上面に当接するとともに，前記嵌入リブ４２ｅが前記棚受部２の上面から離間する状態で前記前棚４の奥側端部の下面を支持する（図２（ｂ）の状態）。
【００１９】
次に，図４〜図６を参照しつつ，前記棚支持機構の実施例（第１実施例）の詳細について説明する。
ここで，図４及び図６は，第１実施例に係る棚支持機構Ｘ１を冷蔵庫Ａの正面側（手前側）から見た断面図である。
また，図４は，前記前棚４における前記嵌入リブ４２ｅが，前記棚受部２における前記窪み部２４に陥入した棚装着状態を表す。
一方，図６は，利用者による前記前棚４の前後移動の操作（着脱操作）により，前記嵌入リブ４２ｅの前記窪み部２４への嵌入が外れて，前記嵌入リブ４２ｅが，前記棚受部２の上面２１を摺動する棚着脱途中状態を表す。
また，図５は，前記棚装着状態における前記棚支持機構Ｘ１の側面図（冷蔵庫Ｘの側面側から見た図）である。
前記嵌入リブ４２ｅは，左右の前記横枠部４２ｃそれぞれの下面（被支持面）における奥行き方向の２箇所に設けられている。
前記棚装着状態においては，図５に示されるように，前記嵌入リブ４２ｅは，前記棚受部２における前記窪み部２４に嵌入することにより，前記前棚４の奥行き方向の動きを規制する。
【００２０】
図４に示されるように，前記収容室１０内の左右の側壁１３（内箱の側壁）の外側には，冷蔵庫Ａの外装（外箱）を形成する外壁１４が存在し，前記側壁１３と前記外壁１４との間には発泡断熱材１５が充填されている。
また，前記棚受部２の上面２１は水平面であり，前記棚受部２の下面２２は，前記収容室１０の内側下方に向く傾斜面である。
【００２１】
また，前述したように，前記アーム部５０は，前記前棚４の左右両端部（即ち，前記横枠部４２ｃ）の１箇所に設けられ，奥行き方向に数十ミリメートル程度の幅を有している。また，前記アーム部５０は，図４及び図６に示されるように，前記前棚４から前記棚受部２の下方へ回り込むよう形成されている。図４及び図５に示される例では，前記前棚４における前記棚受部２により支持される部分（前記横枠部４２ｃ）及び前記アーム部５０を合わせた部分は，その断面が概ねＵ字状に形成されている。
また，前記アーム部５０には，当該アーム部５０を，それが適度に弾性変形する程度に補強するリブ５１が設けられている。即ち，前記アーム部５０は，前記収容室１０内の内側下方及びその反対方向に弾性変形する弾性体である。
また，前記アーム部５０における前記棚受部２の下面２２に対向する部分には突起部５２（前記第２突起部の一例）が形成されている。以下，この突起部５２のことを，アーム突起部５２と称する。このアーム突起部５２は，奥行き方向に伸びて形成されている。図４〜図６に示される例では，前記アーム突起部５２は，奥行き方向を長手方向とするアーチ屋根状であるが，その他，奥行き方向を長手方向とするリブ状等であることも考えられる。或いは，前記アーム突起部５２が，奥行き方向の２箇所に設けられた構成も考えられる。
【００２２】
図４〜図６に示されるように，前記アーム突起部５２が形成された前記アーム部５０は，前記前棚４の上方向への動きと，左右方向への動きの両方を規制するものである。即ち，前記アーム突起部５２と前記棚受部２の下面２２との間に隙間がある状態（図６に示される状態）から，前記前棚４が上方向へ前記隙間の長さ以上浮き上がろうとした場合や，前記前棚４の位置が左右方向に前記隙間の長さ以上ずれようとした場合に，前記アーム突起部５２が，前記棚受部２の下面２２（傾斜面）に当接し，その弾性付勢力によって前記前棚４の上方向及び左右方向への動きの範囲を規制する。
また，前記側壁１３の膨張・収縮によって前記棚受部２の位置が前記隙間の大きさ以上に変化しても，前記アーム部５０のわずかな弾性変形により，前記棚受部２への前記前棚４の詰まりが防止される。例えば，前記アーム部５０が，前記アーム突起部５２の位置において数ミリメートル程度変位する範囲内で弾性変形すればよい。
以上より，前記棚支持機構Ｘ１を備える冷蔵庫Ａにおいては，前記前棚４を前記棚受部２に沿って前後させる操作を円滑に行うことができる。
【００２３】
一方，前記後棚３における前記アーム部６０は，前記アーム部５０の構成から前記嵌入リブ４２ｅが除かれた構成を有している。
前記アーム部６０により，前記後棚４の前記棚受部２からの持ち上がりや，左右方向の位置ずれを防止できる。
なお，前記棚受部２の奥側にもう１つの前記窪み部２４が設けられ，その窪み部２４に嵌入する突起部（前記嵌入リブ４２ｅに相当する突起部）が，前記アーム部６０に設けられた構成も考えられる。
【００２４】
次に，図７を参照しつつ，第２実施例に係る棚支持機構Ｘ２について説明する。以下，前記棚支持機構Ｘ２について，前記棚支持機構Ｘ１と異なる部分についてのみ説明する。なお，図７において，図１〜図６に示された構成要素と同じ構成要素については同じ符号が付されている。
前記棚支持機構Ｘ２におけるアーム部５０’及び棚受部２’が，それぞれ前記棚支持機構Ｘ１における前記アーム部５０及び棚受部２に相当する。
前記アーム部５０’の基本的な形状及び機能は，前記アーム部５０と同じであるが，前記アーム部５０’には，前記棚受部２の側面２３（前記収容室１０の内側に向かう面）に対向する位置にリブ５２ａが設けられている。前記リブ５２ａは，前記嵌入リブ４２ｅと同様に，奥行き方向における２箇所（左右合わせて４箇所）に設けられている。
即ち，前記アーム部５０’には，前記前棚４の上方向の動きを規制する分部としての前記アーム突起部５２とは別に，前記前棚４の左右方向の動きを規制するため部位として，前記棚受部２’の側面２３に対向する部分に前記リブ５２ａが設けられている。このような構成は，図７に示されるように，前記棚受部２’の下面２２’がほぼ鉛直下方に向いており，その下面２２’に対する前記アーム突起部５２の当接によっては，前記前棚４の左右方向の動きを規制できない場合に有効である。
前記リブ５２ａは，弾性体である前記アーム部材５０’の弾性変形に応じて左右方向にわずかに変位する。そのため，前記側壁１３の膨張・収縮によって前記棚受部２’の位置が左右方向に変化しても，前記アーム部５０’のわずかな弾性変形により，前記棚受部２への前記リブ５２ａの詰まりが防止される。
以上に示した棚支持機構Ｘ２によっても，前記前棚４を前記棚受部２に沿って前後させる操作の円滑化が図れる。
【００２５】
次に，図８を参照しつつ，第３実施例に係る棚支持機構Ｘ３について説明する。以下，前記棚支持機構Ｘ３について，前記棚支持機構Ｘ１と異なる部分についてのみ説明する。なお，図８において，図１〜図６に示された構成要素と同じ構成要素については同じ符号が付されている。
前記棚支持機構Ｘ２におけるアーム部５０”が，前記棚支持機構Ｘ１における前記アーム部５０に相当する。
前記アーム部５０”の基本的な形状及び機能は，前記アーム部５０と同じであるが，前記アーム部５０”には，前記棚受部２の側面２３（前記収容室１０の内側に向かう面）に対向する位置にリブ５２ａ’が設けられている。また，そのリブ５２ａ’は，前記嵌入リブ４２ｅと一体に形成されている。従って，前記リブ５２ａ’も，前記嵌入リブ４２ｅと同じく奥行き方向における２箇所（左右合わせて４箇所）に設けられている。
なお，前記アーム部５０”における先端部には，前記アーム突起部５２は設けられていない。
即ち，前記棚支持機構Ｘ２においては，前記アーム部５０”における前記棚受部２の下方に伸びた部分が，前記前棚４の上方向の動きを規制する。
また，前記リブ５２ａ’が，前記前棚４の左右方向の動きを規制する。
このような棚支持機構Ｘ３によっても，前記前棚４を前記棚受部２に沿って前後させる操作の円滑化が図れる。
【産業上の利用可能性】
【００２６】
本発明は，冷蔵庫に利用可能である。
【図面の簡単な説明】
【００２７】
【図１】本発明の実施形態に係る冷蔵庫Ａの概略側断面図。
【図２】冷蔵庫Ａにおける棚支持機構の概略側面図。
【図３】冷蔵庫Ａにおける前棚の底面図，背面図及び断面図。
【図４】冷蔵庫Ａにおける第１実施例に係る棚支持機構Ｘ１の正面方向から見た断面図（棚装着状態）。
【図５】棚支持機構Ｘ１の側面図（棚装着状態）。
【図６】棚支持機構Ｘ１の正面方向から見た断面図（棚着脱途中状態）。
【図７】冷蔵庫Ａにおける第２実施例に係る棚支持機構Ｘ２の正面方向から見た断面図（棚着脱途中状態）。
【図８】冷蔵庫Ａにおける第３実施例に係る棚支持機構Ｘ３の正面方向から見た断面図（棚着脱途中状態）。
【符号の説明】
【００２８】
Ａ  ：冷蔵庫
Ｘ１，Ｘ２，Ｘ３：棚支持機構
２，２’：棚受部
３  ：後棚
４  ：前棚
１０：収容室
１１：側壁
１２：ドア
１３：側壁
１４：外壁
１５：発泡断熱材
２４：窪み部
２５：突起部
４１：ガラス板
４２ａ：手前枠部
４２ｂ：奥枠部
４２ｃ：横枠部
４２ｅ：嵌入リブ
５０，５０’，５０”，６０：アーム部
５１：補強リブ
５２：アーム突起部
５２ａ：リブ
【図１】
2010032169.tif 000003
【図２】
2010032169.tif 000004
【図３】
2010032169.tif 000005
【図４】
2010032169.tif 000006
【図５】
2010032169.tif 000007
【図６】
2010032169.tif 000008
【図７】
2010032169.tif 000009
【図８】
2010032169.tif 000010